(57)【要約】【課題】自撮機能付きのウェブカメラを提供する。【解決手段】カメラ本体１とステー３とを含有し、カメラ本体１は、レンズ１２と自撮鏡１３を含有する。自撮鏡１３は、鏡面や反射霧面体であって、レンズ１２の傍に位置する。ステー３は、カメラ本体１に連接され、カメラ本体とステーとの間に、連接部品２が連接される。上記の設計により、ユーザーが、コンピュータのスクリーンを見ることを必要とせずに、カメラ本体の自撮鏡に表示されたユーザーの画像を見るだけで、自己撮影することができ、撮影の便利性が向上される。【選択図】図２
0003129508.tif 000002
【実用新案登録請求の範囲】
【請求項１】
レンズと、該レンズの傍に位置する自撮鏡とがあるカメラ本体と、該カメラ本体に連接されるステーと、
を含有することを特徴とする自撮機能付きのウェブカメラ。
【請求項２】
前記自撮鏡は、鏡面や反射霧面体であることを特徴とする請求項１に記載の自撮機能付きのウェブカメラ。
【請求項３】
前記カメラ本体と前記ステーとの間に連接部品が連接されることを特徴とする請求項１に記載の自撮機能付きのウェブカメラ。
【考案の詳細な説明】
【技術分野】
【０００１】
本考案は、自撮機能付きのウェブカメラに関し、特に、自己撮影のための構造改良に関する。
【背景技術】
【０００２】
ネットワーク伝送速度の快速化に伴い、ネットワーク上においてビデオファイルが快速に伝送されるため、面対面で即時にできるビデオ通信が幅広く普及している。その中で、最も流行っているコンピュータ周辺設備は、ウェブカメラである。ウェブカメラは、画像と音声を即時に捕獲するため、ウェブカメラで撮影する際に、如何にバラツキが発生する確率を低減させるかが、重要な課題になる。
【０００３】
現在、ウェブカメラで自己撮影する時、一般的には、次の３種類の形態がある。その１は、ＣＲＴスクリーンを利用するユーザーであれば、ウェブカメラをＣＲＴスクリーンの上方や卓面に設置する形態である。その２は、ＬＣＤのスクリーンを利用するユーザーであれば、ウェブカメラをＬＣＤのスクリーンの上や卓面に設置する形態である。その３は、ノートブックを利用するユーザーであれば、ウェブカメラをノートブックのスクリーンの上に設置する形態である。何れの使用形態も、ウェブカメラでより良い画像を撮影するためである。
【０００４】
図１は、従来のウェブカメラ１ａであり、レンズフレーム１１ａとレンズ１２ａとを含有し、レンズ１２ａをユーザーに合わせると、コンピュータのスクリーンに、ユーザーの画像が表示される。ユーザーは、上記の何れかの形態においてウェブカメラ１ａで自撮する場合、コンピュータのスクリーンを見張って操作を行うため、ウェブカメラで撮影した画像は、ユーザーの目が上方や下方へ斜視することが多くなり、画像が見難くなる。また、目でコンピュータのスクリーンを盗み見ながら、レンズを見張って操作を行うような撮影方式は、不便であり、且つ撮影した画像に、容易にバラツキが発生する。
【０００５】
本考案者は、上記の諸問題点を解消するため、慎重に研究開発し、また、学理を運用しながら、設計が合理的で有効に上記の諸問題点を解消できる本考案を提案する。
【考案の開示】
【考案が解決しようとする課題】
【０００６】
本考案の主な目的は、撮影する時にバラツキが発生する確率を低減でき、撮影した画像の美観や撮影の便利性が向上できる自撮機能付きのウェブカメラを提供する。
【課題を解決するための手段】
【０００７】
本考案は、上記の目的を達成するため、レンズと該レンズの傍に位置する自撮鏡とがあるカメラ本体と、該カメラ本体に連接されるステーとを含有する自撮機能付きのウェブカメラである。
【０００８】
本考案は、次の利点が得られる。すなわち、ユーザーが、コンピュータのスクリーンを見ずに、該カメラ本体の自撮鏡に表示されるユーザーの画像を見るだけで自己撮影でき、これにより、自撮する時にバラツキが発生する確率を低減でき、また、撮影した画像がより美観的となり、撮影の便利性が向上される。
【考案を実施するための最良の形態】
【０００９】
以下、図面を参照しながら、具体的な実施例を挙げて、本考案の特徴や技術内容について詳しく説明するが、本考案は、それらの図面や実施例によって制限されることがない。
【００１０】
図２と図３は、本考案に係る自撮機能付きのウェブカメラであり、カメラ本体１と連接部品２とを含有する。カメラ本体１は、レンズフレーム１１とレンズ１２及び自撮鏡１３を備える。レンズフレーム１１は、カメラ本体１の前方に位置し、リング状である。レンズ１２は、撮影するためのものである。自撮鏡１３は、鏡面や反射霧面体（絹面仕上げの鏡。non-shining）で、レンズ１２の傍に位置するように、レンズ１２とともに、レンズフレーム１１の中に配置される。自撮鏡１３は、レンズ１２と同一の水平線上に位置しても良いし、異なる水平線上に位置しても良い（図示せず）。連接部品２の頂部は、カメラ本体１の底部に連接され、連接部品２の底部には、ステー３が連接される。
【００１１】
ステー３は、座体３１と二つの金属蛇腹管３２及び底座３３とを含有する。座体３１は、搭載部３１１と接触部３１２とを含有し、搭載部３１１の頂部に、自在ベアリング３１３が設けられ、連接部品２は、自在ベアリング３１３に連接され、これにより、該カメラ本体１が３６０度に転動できる。接触部３１２は、搭載部３１１の先端から下へ延ばすように形成される。
【００１２】
搭載部３１１の後端は、二つの金属蛇腹管３２の一端に連接され、底座３３は、頂部と外縁に、当接部３３１が設けられ、二つの金属蛇腹管３２は、もう一端が、底座３３の後端に連接される。また、接触部３１２の後端と底座３３の頂部に、それぞれ、柔らかいパッド４が設置される。
【００１３】
ユーザーは、何れかの場面で自撮鏡１３を使用して撮影することができる。図４を参照しながら説明すると、図４では金属蛇腹管３２を湾曲させて、底座３３の当接部３３１がＬＣＤのスクリーン５の裏側に当接するようにしており、これにより、支持点が形成されて、カメラ本体１が、安定的にＬＣＤのスクリーン５の上に引っ掛かる。接触部３１２の後端と底座３３の頂部に位置する柔らかいパッド４により、ＬＣＤのスクリーン５との摩擦抵抗が増大され、それによって、滑り現象を防止できる。また、ＬＣＤのスクリーン５を保護できる。自己撮影する時は、ユーザーは、カメラ本体１上の自撮鏡１３に表示されたユーザーの画像を見るだけでよく、この時ユーザーがマウスをクリックすると、撮影することができる。また、図５を参照しながら説明すると、図５では金属蛇腹管３２を調整して、カメラ本体１が、安定的にノートブック６の上に引っ掛かるようにしている。自己撮影する時は、ユーザーは、ノートブック６のスクリーンを見る必要がなく、自撮鏡１３に表示されたユーザーの画像を見るだけでよく、この時ユーザーがマウスをクリックすると、撮影することができる。
【００１４】
本考案に係わる自撮機能付きのウェブカメラは、ユーザーが、ＬＣＤのスクリーン５やノートブック６のスクリーンを見る必要がなく、カメラ本体１の自撮鏡１３に表示されたユーザーの画像を見るだけで自己撮影でき、これにより、撮影する時、バラツキが発生する確率を低減でき、撮影した画像の美観や撮影の便利性が向上される。
【００１５】
以上は、ただ、本考案のより良い実施例であり、本考案は、それによって制限されることが無く、本考案に係わる実用新案登録請求の範囲や明細書の内容に基づいて行う等価の変更や修正は、全てが、本考案の実用新案登録請求の範囲内に含まれる。
【図面の簡単な説明】
【００１６】
【図１】従来のウェブカメラの概念図である。
【図２】本考案のウェブカメラの正面概念図である。
【図３】本考案のウェブカメラの側面概念図である。
【図４】本考案のウェブカメラの第１の使用状態の概念図である。
【図５】本考案のウェブカメラの第２の使用状態の概念図である。
【符号の説明】
【００１７】
１  カメラ本体
１ａ  ウェブカメラ
１１  レンズフレーム
１１ａ  レンズフレーム
１２  レンズ
１２ａ  レンズ
１３  自撮鏡
２  連接部品
３  ステー
３１  座体
３１１  搭載部
３１２  接触部
３１３  自在ベアリング
３２  金属蛇腹管
３３  底座
３３１  当接部
４  柔らかいパッド
５  ＬＣＤのスクリーン
６  ノートブック
【図１】
0003129508.tif 000003
【図２】
0003129508.tif 000004
【図３】
0003129508.tif 000005
【図４】
0003129508.tif 000006
【図５】
0003129508.tif 000007